(57)【要約】【課題】低コストで製造でき、最も重要な既存サンバイザーの位置及びその左右方向をほぼ完全に遮光することができ、既存サンバイザーに容易に取り付けることができる補助サンバイザーを提供すること。  【解決手段】少なくとも、上下の案内溝部１０、１１を有する本体１と、前記上下の案内溝部１０、１１に対して左右方向にスライドが可能に嵌め込まれた遮光板２と、前記本体１を既存サンバイザー９に取り付けるための長さ調節可能な取付手段５とを具え、遮光板２を左側又は右側にスライドさせることにより既存サンバイザー９の高さ位置の遮光範囲が広がるようにしてある。【選択図】  図１
0003139883.tif 000002
【実用新案登録請求の範囲】
【請求項１】
少なくとも、上下の案内溝部を有する本体と、前記上下の案内溝部に対して左右方向にスライドが可能に嵌め込まれた遮光板と、前記本体を既存サンバイザーに取り付けるための長さ調節可能な取付手段とを具え、前記遮光板を左側又は右側にスライドさせることにより既存サンバイザーの高さ位置の遮光範囲が広がるようにしてあることを特徴とする補助サンバイザー。
【請求項２】
本体の後ろ側に、既存サンバイザーが収容される収容部を設けてあることを特徴とする請求項1記載の補助サンバイザー。
【請求項３】
本体及び収容部は共に上下に二分割された構造となっており、縦幅が相違する複数種の遮光板を嵌め込めるようになっていることを特徴とする請求項1又は2記載の補助サンバイザー。
【請求項４】
本体及び収容部の二分割は、上側と下側が同じ形状であることを特徴とする請求項３記載の補助サンバイザー。
【請求項５】
本体の下部位置と、前記本体の下部位置よりも更に下方の位置との間で移動できる第２遮光板を設け、前記本体より下方向の遮光領域を増加させ得るようにしてあり、第２遮光板の不使用時においては当該第２遮光板を本体の下部位置に磁着できるようになっていることを特徴とする請求項１乃至４のいずれかに記載の補助サンバイザー。
【請求項６】
第２遮光板は、遮光板に対して単独で、又は遮光板と連動して左右方向に移動できるようにしてあることを特徴とする請求項５記載の補助サンバイザー。
【請求項７】
取付手段は、帯状部の両端部域のうち一方に面ファスナーの雌部を、他方に面ファスナーの雄部をそれぞれ設けたもの、引張りバネ、又は紐により構成してあることを特徴とする請求項1乃至７のいずれかに記載の補助サンバイザー。
【請求項８】
本体及び遮光板は、樹脂製の薄板により構成されていることを特徴とする請求項1記載の補助サンバイザー。
【請求項９】
本体、遮光板及び収容部は樹脂製の薄板により構成されていることを特徴とする請求項２乃至４のいずれかに記載の補助サンバイザー。
【請求項１０】
本体、遮光板、収容部及び第２遮光板は、樹脂製の薄板により構成されていることを特徴とする請求項5又は6記載の補助サンバイザー
【考案の詳細な説明】
【技術分野】
【０００１】
この考案は、サンバイザー、特に、元々取り付けられているサンバイザー（この明細書では既存サンバイザーという）に後付けされるサンバイザー（この明細書では補助サンバイザーという）に関するものである。
【背景技術】
【０００２】
自動車の運転席及び助手席の前方上部には、既存サンバイザーが取り付けられており、前記席（特に運転席）に座る搭乗者に対して直射日光が目に入って幻惑されないようにし、未然に事故を防止するようにしている。
【０００３】
ところで、実際に自動車に乗った場合、直射日光が眩しくて運転が困難であったという事態は誰しも経験するところである。
【０００４】
これは、自動車内購入時に取り付けられている既存サンバイザーでは、遮光範囲が十分ではなく、小さなエリアから直射日光が室内に入り込み、運転者が幻惑されるためである。
【０００５】
上記問題を解決する手段としては、例えば、実用新案登録番号第３０１８３４３号に示された補助サンバイザーがある。
【０００６】
この補助サンバイザーは、既存サンバイザーの下方域に対して遮光板を、左右移動可能に且つ揺動自在な補助サンバイザーである。この補助サンバイザーによると、遮光板が左右に移動できることからその移動範囲は遮光できる。しかしながら、直射日光により幻惑される範囲は既存サンバイザーが位置する高さの左右域がほとんどであり、よってこの補助サンバイザーでは、実質的にサンバイザーとしての機能を成さないと考えられる。
【０００７】
したがって、この種の業界及び運転する者の間では、基本的に、低コストで製造でき、最も重要な既存サンバイザーの位置及びその左右方向をほぼ完全に遮光することができ、容易に既存サンバイザーに取付けることができる補助サンバイザーが開発されるのを待ち望んでいる。
【考案の開示】
【考案が解決しようとする課題】
【０００８】
そこで、この考案は、低コストで製造でき、最も重要な既存サンバイザーの位置及びその左右方向をほぼ完全に遮光することができ、既存サンバイザーに容易に取り付けることができる補助サンバイザーを提供することを課題とする。
【０００９】
また、この考案は、低コストで製造でき、最も重要な既存サンバイザーの位置及びその左右方向をほぼ完全に遮光することができ、既存サンバイザーの縦幅の寸法にかかわらず容易に取り付けできる補助サンバイザーを提供することを課題とする。
【００１０】
更に、この考案は、低コストで製造でき、最も重要な既存サンバイザーの位置及びその左右方向をほぼ完全に遮光することができ、既存サンバイザーの縦幅の寸法にかかわらず容易に取り付けでき、背丈が小さい人でも直射日光による幻惑がかなり改善される。
【課題を解決するための手段】
【００１１】
（請求項１記載の考案）
この考案の補助サンバイザーは、少なくとも、上下の案内溝部を有する本体と、前記上下の案内溝部に対して左右方向にスライドが可能に嵌め込まれた遮光板と、前記本体を既存サンバイザーに取り付けるための長さ調節可能な取付手段とを具え、前記遮光板を左側又は右側にスライドさせることにより既存サンバイザーの高さ位置の遮光範囲が広がるようにしてある。
（請求項２記載の考案）
この考案の補助サンバイザーは、上記請求項1記載の考案に関し、本体の後ろ側に、既存サンバイザーが収容される収容部を設けてある。
（請求項３記載の考案）
この考案の補助サンバイザーは、上記請求項1又は２記載の考案に関し、本体及び収容部は共に上下に二分割された構造となっており、縦幅が相違する複数種の遮光板を嵌め込めるようになっている。
（請求項４記載の考案）
この考案の補助サンバイザーは、上記請求項３記載の考案に関し、本体及び収容部の二分割は、上側と下側が同じ形状である。
（請求項５記載の考案）
この考案の補助サンバイザーは、請求項１乃至４のいずれかに記載の考案に関し、本体の下部位置と、前記本体の下部位置よりも更に下方の位置との間で移動できる第２遮光板を設け、前記本体より下方向の遮光領域を増加させ得るようにしてあり、第２遮光板の不使用時においては当該第２遮光板を本体の下部位置に磁着できるようになっている。
（請求項６記載の考案）
この考案の補助サンバイザーは、請求項5記載の考案に関し、第２遮光板は、遮光板に対して単独で、又は遮光板と連動して左右方向に移動できるようにしてある。
（請求項７記載の考案）
この考案の補助サンバイザーは、上記請求項1乃至７のいずれかに記載の考案に関し、取付手段は、帯状部の両端部域のうち一方に面ファスナーの雌部を、他方に面ファスナーの雄部をそれぞれ設けたもの、引張りバネ、又は紐により構成してある。
（請求項８記載の考案）
この考案の補助サンバイザーは、上記請求項1記載の考案に関し、本体及び遮光板は、樹脂製の薄板により構成されている。
（請求項９記載の考案）
この考案の補助サンバイザーは、上記請求項2乃至４のいずれかに記載の考案に関し、本体、遮光板及び収容部は樹脂製の薄板により構成されている。
（請求項１０記載の考案）
この考案の補助サンバイザーは、上記請求項5又は６記載の考案に関し、本体、遮光板、収容部及び第２遮光板は、樹脂製の薄板により構成されている。
【考案の効果】
【００１２】
この考案の補助サンバイザーによると、低コストで製造でき、最も重要な既存サンバイザーの位置及びその左右方向をほぼ完全に遮光することができ、既存サンバイザーに容易に取り付けることができる。
【００１３】
また、この考案の補助サンバイザーによると、低コストで製造でき、最も重要な既存サンバイザーの位置及びその左右方向をほぼ完全に遮光することができ、既存サンバイザーの縦幅の寸法にかかわらず容易に取り付けできる。
【００１４】
更に、この考案の補助サンバイザーによると、低コストで製造でき、最も重要な既存サンバイザーの位置及びその左右方向をほぼ完全に遮光することができ、既存サンバイザーの縦幅の寸法にかかわらず容易に取り付けでき、背丈が小さい人でも同様に直射日光による幻惑がかなり改善される。
【考案を実施するための最良の形態】
【００１５】
以下、この考案の実施の形態を、図面を参照して説明する。
【実施例１】
【００１６】
図１は既設サンバイザー９にこの実施例１の補助サンバイザーＳを取り付けた状態の正面図、図２は前記補助サンバイザーＳの正面図、図３は前記補助サンバイザーＳの断面図、図４は前記補助サンバイザーＳの背面図、図５は本体１と他の形式の第２遮光版４の取付け構造の正面図を示している。
【００１７】
（補助サンバイザーＳの基本的構成について）
この補助サンバイザーＳは、図１〜図３に示すように、上下の案内溝部１０、１１を有する本体１と、前記上下の案内溝部１０、１１に対して左右方向にスライドが可能に嵌め込まれた遮光板２と、本体１の後ろ側に設けた既存サンバイザー９が収容される収容部と３と、前記案内溝部１１の構成壁に、リング４０を介して吊り下げられた第２遮光板４と、前記本体１を既存サンバイザー９に取り付けるための長さ調節可能な取付手段５、５とを具えている。そして、図１の二点鎖線に示す如き遮光板２を左側又は右側にスライドさせることにより既存サンバイザー９の高さ位置における遮光範囲が広がり、前記第２遮光板４により既存サンバイザー９の下方位置における遮光範囲が広がるようにしてある。
【００１８】
ここで、この実施例では、図１〜図３に示すように、本体１及び収容部３は共に上下に二分割された構造となっており、縦幅が相違する複数種の遮光板２を嵌め込めるようになっている。本体１及び収容部３の二分割は、製作を考慮して、上側と下側を同じ形状としている。
【００１９】
なお、符号９０は車内壁に既存サンバイザー９を取り付ける取り付け部、符号９１はバックミラー、符号９２はハンドル、符号９３はサイドミラーを示している。
【００２０】
以下に本体１、遮光板２、収容部３、第２遮光板４、取付手段5等についての具体的構成について説明する。
【００２１】
（補助サンバイザーＳの具体的構成について）
「本体１」
本体１は、図１や図３に示すように、上下の案内溝部１０、１１から構成されており、前記案内溝部１０、１１は各三枚の板材１０a、１０ｂ、１０ｃ/１１a、１１ｂ、１１ｃを重ね合わせると共に中央の板材１０ｂ/１１ｂを短く設定することにより凹部M１/M２を形成してある。ここで、板材１１aの前面中央域に、図２や図３に示すように、磁石板Ｇ１を貼着してある。
【００２２】
なお、上記本体１の横方向の長さは、既存サンバイザー９の長さと同等の寸法に設定してある。また、本体１は、市販（コストのことを考えなければ複雑に樹脂成形したものでもよい、以下同じ）の樹脂製の板材（薄板材）を重ね合わせるようにして、構成されている。
「遮光板２」  
遮光板２は、図１〜図３に示すように、その縦寸法を板材１０ｂと板材１１ｂ相互間の寸法よりも僅かに小さく設定してあると共に、その横幅寸法を上記本体１のそれよりも長く設定してある。つまり、遮光板２が本体１に対して中間位置にある状態では、左側又は右側のいずれかに指で摘んで無理なく引き出せるようになっている。ここで、遮光板２は、市販の樹脂製の板材（薄板材）により構成されている。
【００２３】
なお、遮光板２は、最大限に左側に移動したときには、バックミラー９１の正面形状に対応させてその部分が切り欠かれており、また、最大限に右側に移動したときには、車体内部の形状に沿うような形状に切り欠かれていることが好ましい。
「収容部３」
収容部３は、図３や図４に示すように、上記板材１０ｃとＬ形状の板材３０aから成る上側収容部３０と、上記板材１１ｃとL形状の板材３１aから成る下側収容部３１により構成されている。
【００２４】
上記上側収容部３０には、図３や図４に示すように、そのＬ形状の角部に二つの挿通孔３２を、また上記下側収容部３１には、同図に示すように、そのＬ形状の角部に二つの挿通孔３３を、それぞれ設けてある。
【００２５】
なお、収容部３では、図４に示すように、その裏面側において二分割された部分に摩擦力軽減のために比較的大きな略半円の切欠３４、３５を設けてある。
【００２６】
また、この収容部３は、市販の樹脂製の板材（薄板材）により構成されている。
「第２遮光板４」
第２遮光板４は、図1〜図４に示すように、案内溝部１１の構成壁にリング４０を介して吊り下げられており、上記磁石板Ｇ１と対応する部分に磁石板Ｇ２を貼着してある。また、この第２遮光板４の横幅は、図２に示すように、本体１の横幅と同じ幅寸法に、その縦幅は５０ｍｍ〜７０ｍｍ程度に、それぞれ設定してある。
【００２７】
ここで、この第２遮光板４は、図２や図３に示すように、リング４０を介して案内溝部１１の前方側に移動（揺動）すれば、上記磁石板Ｇ１に対して磁石板Ｇ２が磁着状態となり、第２遮光板４は図３の二点鎖線の状態に維持される。
また、この第２遮光板４の移動は、上下にスライドする方式も採用できる。
【００２８】
なお、この第２遮光板４についても、市販の樹脂製の板材（薄板材）により構成されている。
「取付手段５」
取付手段５は、図３や図４に示すように、全体が樹脂製の帯状に形成されており、前記帯状部分の両端部域のうち、一方に面ファスナーの雌部５１を、他方に面ファスナーの雄部５０を、それぞれ設けたもとしている。
【００２９】
なお、この取付手段５は、図３に示すように、挿通孔３２、３３から紐状部分を収容部３の内部に通し、雄部５０及び雌部５１を背面側に突出させるようにしている。
【００３０】
この取付け手段５は、市販品であるものを利用できる。
【００３１】
（補助サンバイザーＳの取り付けについて）
この補助サンバイザーＳは、既存サンバイザー９に対して以下のようにして取り付けられる。
（１）面ファスナーの雌部５１と雄部５０の取り付けを非止着状態にする。
（２）前記状態において収容部３の容積を広げ、既存サンバイザー９の側面から補助サンバイザーＳの収容部３を外挿する態様で差し込む。
（３）前記差込状態において、帯状部分を締め付けた後、面ファスナーの雌部５１と雄部５０相互を止着する。
（４）以上のように、補助サンバイザーＳは既存サンバイザー９に対して、しっかりと取り付けられる。
【００３２】
（補助サンバイザーＳの優れた効果について）
この補助サンバイザーＳは、以下に示すような優れた効果を有する。
（１）既存サンバイザー９では、遮光することができない左側から直射日光が目に入ってくるような場合、本体１から突出している遮光板２部分を左手で摘んで直射日光を遮ることができる位置まで左側へ遮光板２を引き出す（又は右手で押し込む）。これにより、運転者は、直射日光により幻惑されることが無くなり、安全な運転が可能となる（図１の左側の二点鎖線参照）。
（２）既存サンバイザー９では、遮光することができない右側から直射日光が目に入ってくるような場合、本体１から突出している遮光板２部分を右手で摘んで直射日光を遮ることができる位置まで左側へ遮光板２を引き出す（又は左手で押し込む）。これにより、運転者は、直射日光により幻惑されることが無くなり、安全な運転が可能となる（図１の右側の二点鎖線参照）。
（３）女性（その他、背丈が小さい人）が運転をする場合、男性に比べて目の位置が低い。このため、遮光板２の下からの直射日光により幻惑されることがある。
【００３３】
上記のことから、この実施例の補助サンバイザーＳでは、第２遮光板４を設けてある。これによると、図１や図３の実線に示す状態では女性の運転者は、直射日光により幻惑される可能性が低くなり、前面からの直射日光に対しては安全な運転が可能となる。
【００３４】
ここで、更に女性が運転する場合の安全性を高めるため、図５に示すような構成を採用することができる。即ち、本体１の下端部に設けた横長孔６０に挿通したリング４０により第２遮光板４を吊り下げ、前記横長孔６０よりも上方部から吊るした垂れ幕６（布地や薄い弾性樹脂板等で構成され、その上部のみ接着されている）により直射日光が運転者まで至らないようにしている。これにより、直射日光による幻惑がかなり改善される。
（４）この補助サンバイザーＳは、取付手段５以外は全て市販の樹脂板を使用して製造でき、また、取付手段５についても市販品が採用できる。したがって、この補助サンバイザーＳは、低コストに製造できる。
（５）まとめ
以上のように、この補助サンバイザーＳによると、低コストで製造でき、最も重要な既存サンバイザー９の位置及びその左右方向をほぼ完全に遮光することができ、既存サンバイザー９の縦幅の寸法にかかわらず容易に取り付けでき、更に女性等の背丈が小さい人でも直射日光による幻惑がかなり改善される。
（その他）
上記実施例１では第２遮光板４を設けているが、これに限定されることなく、第２遮光板４を設けていないものとしてもよい。
【実施例２】
【００３５】
図６は既設サンバイザー９にこの実施例２の補助サンバイザーＳを取り付けた状態の正面図、図２は前記補助サンバイザーＳの断面図を示している。
【００３６】
（補助サンバイザーＳの基本的構成について）
この補助サンバイザーＳは、図６、図７に示すように、上下の案内溝部１０、１１を有する本体１と、前記上下の案内溝部１０、１１に対して左右方向にスライドが可能に嵌め込まれた遮光板２と、前記本体１を既存サンバイザー９に取り付けるための長さ調節可能な取付手段５、５とを具えている。そして、図６に示す如き遮光板２を左側又は右側にスライドさせることにより既存サンバイザー９の高さ位置における遮光範囲が広がるようにしてある。
【００３７】
（補助サンバイザーＳの具体的構成について）
「本体１」
本体１は、図６や図７に示すように、二枚の板材１０a、１０ｃ相互間の上下に、板材１０ｂ、１１ｂを挟み込むようにして案内溝部１０、１１の凹部M１/M２を形成してある。
【００３８】
なお、上記本体１の横方向の長さは、既存サンバイザー９の長さと同等の寸法に設定してある。また、本体１は、市販の樹脂製の板材（薄板材）を重ね合わせるようにして構成されている。
「遮光板２」  
遮光板２は、図６、図７に示すように、その縦寸法を板材１０ｂと板材１１ｂ相互間の寸法よりも僅かに小さく設定してあると共に、その横幅寸法を上記本体１のそれよりも長く設定してある。つまり、遮光板２が本体１に対して中間位置にある状態では、左側又は右側のいずれかに指で摘んで無理なく引き出せるようになっている。ここで、遮光板２は、市販の樹脂製の板材（薄板材）により構成されている。
【００３９】
なお、遮光板２は、最大限に左側に移動したときには、バックミラー９１（図１参照）の正面形状に対応させてその部分が切り欠かれており、また、最大限に右側に移動したときには、車体内部の形状に沿うような形状に切り欠かれていることが好ましい。
「取付手段５」
取付手段５は、図６や図７に示すように、全体が樹脂製の帯状に形成されており、前記帯状部分の両端部域のうち、一方に面ファスナーの雌部５１を、他方に面ファスナーの雄部５０を、それぞれ設けたものとしている。
【００４０】
なお、この取付手段５は、図６や図７に示すように、本体１の背面側に強力なテープ７により固定されている
（補助サンバイザーＳの取り付けについて）
この補助サンバイザーＳは、既存サンバイザー９に対して以下のようにして取り付けられる。
（１）面ファスナーの雌部５１と雄部５０の取り付けを非止着状態にする。
（２）既存サンバイザー９に、面ファスナーの雌部５１と雄部５０を巻き付け、雌部５１と雄部５０相互を止着状態にする。
（３）以上のように、補助サンバイザーＳは既存サンバイザー９に対して、しっかりと取り付けられる。
【００４１】
（補助サンバイザーＳの優れた効果について）
（１）この補助サンバイザーＳによると、実施例１の（補助サンバイザーＳの優れた効果について）の欄に記載した如き、運転者は、直射日光により幻惑されることが無くなり、安全な運転が可能となる。
（２）この実施例２においても、実施例１の図４や図５に示すように、第２遮光板４を取り付けることができ、このようにすれば、女性（その他、背丈が小さい人）が運転する場合の安全性を高めることができる。これにより、直射日光による幻惑がかなり改善される。
（３）この補助サンバイザーＳは、取付手段５以外は全て市販の樹脂板を使用して製造でき、また、取付手段５についても市販品が採用できる。したがって、この補助サンバイザーＳは、低コストに製造できる。
（４）この補助サンバイザーＳにおいても、第２遮光板４を具えたものとすることができ、実施例１と同様の効果を奏するものとすることができる。
（その他の実施例について）
上記実施例１、２では、一枚の遮光板２を左右に移動させるようにしてあるが、これに限定されることなく、図８に示すように、左右二枚の遮光板２a、２ｂを設け、左側の遮光板２aは左側方向専用の遮光版とし、遮光板２ｂは右側方向専用の遮光版とすることができる。なお、前記遮光板２a、２ｂは突起７１が係止部７０に引っかかる態様で抜け止め状態とすることが好ましい。
【００４２】
上記実施例２の補助サンバイザーＳの取付手段５を、図９に示す如く、引っ張りコイルバネとしてもよい。この場合、本体１の上端部と下端部に孔１５を設け、例えばこの孔１５に引っ張りコイルバネの端部を係止させるようにすればよい。なお、この実施例では引っ張りコイルバネを、引き伸ばすようにして既存サンバイザー９に嵌め込んでいけばよい。
【００４３】
図１０に示すように、本体１の上端部において、遮光板２が引っ掛かって抜けないような係止部８を設けるようにすれば、遮光板２と第２遮光板４とを完全に連動したものを形成することができる。その他、第２遮光板４は、遮光板２と連動して左右方向に移動できるようにすべき、遮光板２に第２遮光板４を部分的に連結するようにしてもよい。
【００４４】
上記実施例の補助サンバイザーＳは、補助席のサンバイザーとしても使用できる。
【００４５】
上記既設サンバイザー９は、サイド窓側からの直射日光を遮光すべく、サイドの窓側に平行となるように移動できるようになっている。したがって、補助サンバイザーＳは、前記状態においても遮光版２の移動操作により遮光範囲を広げることができ、上記実施例と同様の作用及び効果を奏することが明らかである。
【図面の簡単な説明】
【００４６】
【図１】既設サンバイザーにこの実施例１の補助サンバイザーを取り付けた状態の正面図。
【図２】前記補助サンバイザーの正面図。
【図３】前記補助サンバイザーの断面図。
【図４】前記補助サンバイザーの背面図。
【図５】本体と他の形式の第２遮光版の取付け構造の正面図。
【図６】第2実施例の補助サンバイザーの正面図。
【図７】第2実施例の補助サンバイザーの断面図。
【図８】他の実施例の補助サンバイザーの正面図。
【図９】他の実施例の補助サンバイザーの正面図。
【図１０】他の実施例の補助サンバイザーの斜視図。
【符号の説明】
【００４７】
Ｓ              補助サンバイザー
Ｇ１、Ｇ２      磁石
Ｍ１、Ｍ２      凹部
１              本体
１０            案内溝部
１１            案内溝部
２              遮光板
３              収容部
４              第２遮光板
５              取付手段
６              垂れ幕
６０            横長孔
９              既存サンバイザー
【図１】
0003139883.tif 000003
【図２】
0003139883.tif 000004
【図３】
0003139883.tif 000005
【図４】
0003139883.tif 000006
【図５】
0003139883.tif 000007
【図６】
0003139883.tif 000008
【図７】
0003139883.tif 000009
【図８】
0003139883.tif 000010
【図９】
0003139883.tif 000011
【図１０】
0003139883.tif 000012